(57)【要約】【課題】捲る途中でカード片がリングに引っ掛かることがなく、素早く次々とカード片を捲ることのできるカードを提供する【解決手段】一短辺１１側に綴り孔２０が形成された多数枚の短冊状のカード片１０が、綴り孔２０に挿通されたリング３０により綴られてなるカード１であって、綴り孔２０を、カード片１０の両長辺１２，１２及び一短辺１１の３方向にそれぞれ拡張し、その開口面積をリング３０の断面積よりも十分大きくした。【選択図】  図６
0003132851.tif 000002
【実用新案登録請求の範囲】
【請求項１】
一短辺側に綴り孔が形成された多数枚の短冊状のカード片が、前記綴り孔に挿通されたリングにより綴られてなるカードであって、
前記綴り孔が、カード片の両長辺及び前記一短辺の３方向にそれぞれ拡張され、その開口面積が前記リングの断面積よりも十分大きくされたことを特徴とするカード。
【請求項２】
前記綴り孔が、カード片の両長辺側及び前記一短辺側の３か所に頂点を有するとともにこれら３つの頂点がそれぞれ丸められてなる略三角形状とされた請求項１に記載のカード。
【請求項３】
前記綴り孔が、カード片の短辺と平行な長軸を有する長孔と、この長孔の長手方向中央部から前記一短辺に向けて膨出形成された半円とから構成された請求項１に記載のカード。
【考案の詳細な説明】
【技術分野】
【０００１】
本考案は、例えば九九や英単語などの学習に使用されるカードに関する。
【背景技術】
【０００２】
この種のカードは、従来から、児童が九九を覚えたり、あるいは生徒が英単語を覚えたりするなど、記憶学習の用具として広く用いられている。
【０００３】
ところで、小学校の算数の授業では、児童全員が九九を一通り覚えた段階で、今度は九九を覚えるのに使用したカードを用いていかに早く九九を暗誦することができるかを児童間で競わせる、といったことが行われている。具体的には、図９に示すように、児童が片手でカードＣを持ち、最初のカード片Ｃ１の表面に表示された掛け算の式を読み上げるとともにその解答を自分で答え、それが終わるなりそのカードをもう片方の手で捲ってその裏に表示された正答と自分の答えとが合っているか否かを確認し、合っていれば次のカード片に進む。そして、この一連の作業を綴られているカード片すべてについて行い、それが完了するまでの所要時間を競うのである。
【考案の開示】
【考案が解決しようとする課題】
【０００４】
上記従来のカードＣは、周知のように、多数枚の短冊状のカード片Ｃ１とこれを綴る開閉可能なリングＲとから構成され、各カード片Ｃ１には、その一短辺側にリングＲの断面積より僅かに大きな開口面積を有する円形の綴り孔Ｈが形成されたものである。このような構成のカードで、上記したような九九の暗誦を競った場合、カード片Ｃ１を捲ろうとしたときに、必然的にカード片Ｃ１がリングＲに対して斜めになることから、カード片Ｃ１の綴り孔Ｈの内縁がリングＲと噛み合うような状態となり、捲る途中でカード片Ｃ１がリングＲに引っ掛かるといった現象が生じ易かった。このため、児童にすれば、せっかく競争相手よりも早く九九を暗誦できているにも拘らず、カード片Ｃ１がリングＲに引っ掛かるために完了までの所要時間が長くなってしまい、不本意な結果に終わってしまっていた。また、上記のようにカード片Ｃ１がリングＲに引っ掛かりかけると、強引にカード片Ｃ１を捲ろうとする児童もおり、そうなるとカード片Ｃ１が綴り孔Ｈから破断してリングＲから脱落してしまうといった不具合があった。さらに、既に九九が印刷されたカードにあっては、カードの左端側で綴られているため、左利きの児童には、右利きの児童よりも扱い辛いものであり、上記したような競争において不利なものとなっていた。
【０００５】
本考案は上記従来の問題点を解決すべく創案されたものであり、捲る途中でカード片がリングに引っ掛かることがなく、素早く次々とカード片を捲ることのできるカードを提供することを目的としている。
【課題を解決するための手段】
【０００６】
上記課題を解決するため、請求項１の考案に係るカードは、一短辺側に綴り孔が形成された多数枚の短冊状のカード片が、前記綴り孔に挿通されたリングにより綴られてなるカードであって、前記綴り孔が、カード片の両長辺及び前記一短辺の３方向にそれぞれ拡張され、その開口面積が前記リングの断面積よりも十分大きくされたことを特徴とするものである。
【０００７】
この特定事項により、カード片を捲る際、カード片がリングに対して斜めになっても、従来のカードとは異なり、綴り孔の内縁がリングと噛み合うことがなくなる。このため、捲る途中でカード片がリングに引っ掛かることがない。
【０００８】
ところで、綴り孔の内縁とリングとが噛み合わないようにするために、綴り孔をリングの断面積よりも十分大きな面積を有する円形にすることが考えられる。しかしながら、そのような円形にすると、綴り孔がカード片の記載領域に侵入してくることになるため、その分記載領域が狭められてしまい、使い辛いものとなる。また、カード片の一短辺と綴り孔との境界部分に幅狭の領域が広く存在することになるため、この部分の強度が本考案の場合と比べて低下し、耐久性に劣るものとなる。この点、本考案にあっては上記したような特定事項を有するため、記載領域が狭いものとはならず、且つ、カード片の一短辺と綴り孔との境界部分の強度低下もないものである。
【０００９】
上記の綴り孔としては、カード片の両長辺側及び前記一短辺側の３か所に頂点を有するとともにこれら３つの頂点がそれぞれ丸められてなる略三角形状とされたものであってもよい。
【００１０】
またそれとは別に、上記の綴り孔としては、カード片の短辺と平行な長軸を有する長孔と、この長孔の長手方向中央部から前記一短辺に向けて膨出形成された半円とから構成されたものとしてもよい。
【考案の効果】
【００１１】
本考案によれば、捲る途中でカード片がリングに引っ掛かることがなく、素早く次々とカード片を捲ることのできるカードを提供することができる。
【考案を実施するための最良の形態】
【００１２】
以下、本考案の実施の形態について、図面を参照して説明する。
＜実施の形態１＞
図１は、実施の形態１に係るカードのカード片を示す正面図、図２乃至図５は、カード片とリングとの関係を説明するための正面図、図６はカードを示し、同図（ａ）は正面図、同図（ｂ）は左側面図、同図（ｃ）は右側面図、同図（ｄ）は平面図である。
【００１３】
このカード１は、一短辺１１側に綴り孔２０が形成された多数枚の短冊状のカード片１０が、綴り孔２０に挿通されたリング３０により綴られてなるものである。
【００１４】
上記各カード片１０に形成された綴り孔２０は、カード片１０の両長辺１２，１２及び一短辺１１の３方向にそれぞれ拡張され、その開口面積がリング３０の断面積よりも十分大きくされている。
【００１５】
具体的には、上記綴り孔２０は、カード片１０の両長辺１２，１２側及び一短辺１１側の３か所に頂点を有するとともにこれら３つの頂点２１，２２，２３がそれぞれ丸められてなる略三角形状とされている。
【００１６】
このような構成のカード１において、例えば、図２に示すように、カード片１０を左右いずれかの親指（図示省略）で図中左斜め上方向に捲る場合、リング３０を左斜め上方向に向くような姿勢で且つリング３０が綴り孔２０の上側の頂点２１に位置するようにしておくことで、綴り孔２０の内縁がリング３０と一切噛み合うことがない。
【００１７】
また、例えば、図３に示すように、カード片１０を図中真横左方向に捲る場合、リング３０をカード１の長辺１２と平行な姿勢で且つリング３０が綴り孔２０の左側の頂点２２に位置するようにしておくことで、綴り孔２０の内縁がリング３０と一切噛み合うことがない。
【００１８】
さらに、例えば、図４に示すように、カード片１０を右手の人指し指（図示省略）で図中左斜め下方向に捲る場合、リング３０を左斜め下方向に向くような姿勢で且つリング３０が綴り孔２０の下側の頂点２３に位置するようにしておくことで、綴り孔２０の内縁がリング３０と一切噛み合うことがない。
【００１９】
そして、カード１をしまう時には、図５に示すように、リング３０を持ってカード片１０をぶら下げるようにすると、すべてのカード片１０において綴り孔２０の一短辺１１側の頂点２２にリング３０が自然に嵌まり込むことになり、すべてのカード片１０をきれいに整えることができる。
＜実施の形態２＞
図７は、実施の形態２に係るカードのカード片を示す正面図、図８はカードを示し、同図（ａ）は正面図、同図（ｂ）は左側面図、同図（ｃ）は右側面図、同図（ｄ）は平面図である。
【００２０】
本実施の形態では、上記実施の形態１と綴り孔２０の形状が異なるだけであるので、その相違点についてのみ説明し、共通する点については実施の形態１と同一符号を付しその説明を省略する。
【００２１】
綴り孔２０は、カード片１０の短辺１１と平行な長軸を有する長孔２５と、この長孔２５の長手方向中央部から一短辺１１に向けて膨出形成された半円２８とから構成されたものとしている。
【００２２】
このような構成であるから、上記実施の形態１において図２乃至図４で説明したようなカード片１０を捲る態勢にあるとき、綴り孔２０内におけるリング３０の収まり具合が安定し、より捲り易いものとなる。すなわち、上記長孔２５の両端部２６，２７と半円２８との間に段部２９が存在するため、リングが長孔２５の両端部２６，２７と半円２８との間でややスライドしにくくなっており、リング３０の姿勢が実施の形態１の場合に比べて僅かながらも変位しにくい。このため、リング３０が、カード片１０を捲る方向に沿った姿勢を保持することとなり、カード片が捲り易いものとなる。
【図面の簡単な説明】
【００２３】
【図１】本考案の実施の形態１に係るカードのカード片を示す正面図である。
【図２】カード片とリングとの関係を説明するための正面図である。
【図３】カード片とリングとの関係を説明するための正面図である。
【図４】カード片とリングとの関係を説明するための正面図である。
【図５】カード片とリングとの関係を説明するための正面図である。
【図６】図６（ａ）はカードの正面図、図６（ｂ）は同左側面図、図６（ｃ）は同右側面図、図６（ｄ）は同平面図である。
【図７】本考案の実施の形態２に係るカードのカード片を示す正面図である。
【図８】図６（ａ）はカードの正面図、図６（ｂ）は同左側面図、図６（ｃ）は同右側面図、図６（ｄ）は同平面図である。
【図９】従来のカードにおいてカード片を捲る状態を示す斜視図である。
【符号の説明】
【００２４】
１    カード
１０  カード片
１１  短辺
１２  長辺
２０  綴り孔
２１，２２，２３  頂点
２５  長孔
２８  半円
３０  リング
【図１】
0003132851.tif 000003
【図２】
0003132851.tif 000004
【図３】
0003132851.tif 000005
【図４】
0003132851.tif 000006
【図５】
0003132851.tif 000007
【図６】
0003132851.tif 000008
【図７】
0003132851.tif 000009
【図８】
0003132851.tif 000010
【図９】
0003132851.tif 000011